(57)【要約】  機器管理システム（１）は、室内空間の空気環境を制御する複数の室内環境制御装置（２）と、複数の室内環境制御装置（２）の各々と情報の送受信可能に接続された制御端末（３）とを備えた機器管理システムであって、室内空間の空気を室外空間に搬送する換気装置（２１）を複数の室内環境制御装置（２）のうちの１つの室内環境制御装置として備える。制御端末（３）は、人存在情報取得部（５０）と、条件取得部（３１）と、動作条件決定部（３２）と、制御部（３３）とを備える。人存在情報取得部（５０）は、人が室内空間に存在するか否かを示す人存在情報を取得する。条件取得部（３１）は、換気装置（２１）の動作条件に関連する動作情報を取得する。動作条件決定部（３２）は、人存在情報が、人が室内空間に存在しないことを示す場合に、動作情報に基づいて換気装置（２１）の動作条件を決定する。制御部（３３）は、換気装置（２１）の動作条件で換気装置（２１）を制御する。
2017179404.tif 000002
【特許請求の範囲】
【請求項１】
室内空間の空気環境を制御する複数の室内環境制御装置と、当該複数の室内環境制御装置の各々と情報の送受信可能に接続された制御端末とを備えた機器管理システムであって、
前記室内空間の空気を室外空間に搬送する換気装置を前記複数の室内環境制御装置のうちの１つの室内環境制御装置として備え、
前記制御端末は、
人が前記室内空間に存在するか否かを示す人存在情報を取得する人存在情報取得部と、
前記換気装置の動作条件に関連する動作情報を取得する条件取得部と、
前記人存在情報が、人が前記室内空間に存在しないことを示す場合に、前記動作情報に基づいて前記換気装置の動作条件を決定する動作条件決定部と、
前記換気装置の動作条件で前記換気装置を制御する制御部と、を備えた機器管理システム。
【請求項２】
前記換気装置は、
前記室内空間の空気を吸込み、前記空気を前記室外空間に排気する排気ファンと、
前記排気ファンを覆うフード部と、
前記室内空間と前記室外空間とを連通する室外吐出口と、
前記フード部の下方に向けて開口している室内吸込口と、を備えた請求項１に記載の機器管理システム。
【請求項３】
前記換気装置は、
調理時に発生する煙を前記室内吸込口から吸込み、前記煙を前記室外吐出口を介して前記室外空間に排出するレンジフード装置であり、
前記排気ファンは、
２００ｍ３／ｈ以上の排気能力を有する請求項２に記載の機器管理システム。
【請求項４】
前記室外空間の温度である室外温度を測定する室外温度センサと、
前記室内空間の温度である室内温度を測定する室内温度センサと、を備え、
前記条件取得部は、
前記室外温度センサから前記室外温度と、
前記室内温度センサから前記室内温度と、
室内目標温度とを取得し、
前記動作条件決定部は、
前記室内目標温度、前記室内温度、および前記室外温度に基づいて、前記換気装置の動作条件として、前記換気装置を動作すること、または、前記換気装置を停止することを決定する請求項１に記載の機器管理システム。
【請求項５】
前記動作条件決定部は、
前記室内温度が前記室内目標温度よりも高く、かつ、前記室内温度が前記室外温度よりも高い場合に、
前記換気装置の動作条件として、前記換気装置を動作することを決定する請求項４に記載の機器管理システム。
【請求項６】
前記動作条件決定部は、
前記室内温度が前記室内目標温度よりも低く、かつ、前記室外温度が前記室内温度よりも高い場合に、
前記換気装置の動作条件として、前記換気装置を動作することを決定する請求項４に記載の機器管理システム。
【請求項７】
前記室内空間の空気の加熱または冷却によって前記室内空間の温度制御を行う空調装置を前記複数の室内環境制御装置のうちの別の１つの室内環境制御装置として備え、
前記条件取得部は、
人が前記室内空間に存在する予定時刻を示す予定時刻情報を取得し、
前記動作条件決定部は、
前記予定時刻情報と現在時刻とに基づいて、前記室内目標温度を達成するまでの時間である目標達成時間を算出し、
前記目標達成時間が所定の時間閾値よりも小さい場合には、前記空調装置の動作条件として、前記空調装置を動作することを決定し、
前記制御部は、
前記空調装置を動作させる請求項４に記載の機器管理システム。
【請求項８】
前記動作条件決定部は、
前記換気装置の動作条件として、前記換気装置を動作することを決定した場合、
前記室内温度と前記室外温度との温度差に基づいて、前記換気装置の動作条件として、前記換気装置の風量を決定する請求項４に記載の機器管理システム。
【請求項９】
前記人存在情報取得部は、
部外者の侵入を検知するセキュリティシステムから前記人存在情報を取得する請求項１に記載の機器管理システム。
【請求項１０】
前記人存在情報は、
居住者の外出を示す情報である請求項９に記載の機器管理システム。
【発明の詳細な説明】
【技術分野】
【０００１】
本発明は、機器管理システムに関する。
【背景技術】
【０００２】
従来、外気を取り入れることによって、室内空間の環境をより快適にするための管理システムが知られている。【０００３】
この管理システムは、例えば、建物内の室温および外気温を測定する。建物の居住者が外気を取り入れることで快適と感じる状況になれば、管理システムは、居住者に対して建物における通風のための主要な窓を開放することを薦めるメッセージを出力する。また、管理システムは、窓の開閉状態に応じて、建物内の温度を管理する空調装置のオンオフ状態を制御する（特許文献１参照）。
【先行技術文献】
【特許文献】
【０００４】
【特許文献１】特開２０１２−２５１７３１号公報
【発明の概要】
【０００５】
しかしながら、特許文献１に記載された技術は、室内に人が居ることが前提とされた制御である。しかし、実際にはこのような前提に限定されず、様々な状況に対応して空気環境の調整が可能なシステムが望まれている。
【０００６】
本発明は、換気装置を制御することで、無人時の室内空間の空気環境を整える機器管理システムを提供することを目的とする。
【０００７】
上記目的を達成するために、本発明の一態様に係る機器管理システムは、室内空間の空気環境を制御する複数の室内環境制御装置と、複数の室内環境制御装置の各々と情報の送受信可能に接続された制御端末とを備えた機器管理システムであって、室内空間の空気を室外空間に搬送する換気装置を複数の室内環境制御装置のうちの１つの室内環境制御装置として備える。制御端末は、人存在情報取得部と、条件取得部と、動作条件決定部と、制御部とを備える。人存在情報取得部は、人が室内空間に存在するか否かを示す人存在情報を取得する。条件取得部は、換気装置の動作条件に関連する動作情報を取得する。動作条件決定部は、人存在情報が、人が室内空間に存在しないことを示す場合に、動作情報に基づいて換気装置の動作条件を決定する。制御部は、換気装置の動作条件で換気装置を制御する。
【０００８】
本発明によれば、室内空間の空気を室外空間に搬送する換気装置を制御することで、無人時の室内空間の空気環境を整えることができる。
【図面の簡単な説明】
【０００９】
【図１】図１は、実施の形態における機器管理システムのブロック図である。
【図２】図２は、実施の形態における機器管理システムが設置されている室内空間の一例の概略図である。
【図３】図３は、実施の形態におけるフード付換気装置の一例の概略図である。
【図４】図４は、実施の形態における動作条件決定部の動作の一例を示すフローチャートである。
【図５Ａ】図５Ａは、実施の形態の動作条件決定における温度の経時変化と動作条件の関係を示す概略図である。
【図５Ｂ】図５Ｂは、実施の形態の動作条件決定における温度の経時変化と動作条件の関係を示す概略図である。
【図６】図６は、実施の形態における動作条件決定部の動作の一例を示すフローチャートである。
【図７Ａ】図７Ａは、実施の形態の動作条件決定における温度の経時変化と動作条件の関係を示す概略図である。
【図７Ｂ】図７Ｂは、実施の形態の動作条件決定における温度の経時変化と動作条件の関係を示す概略図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図において、実質的に同一の構成に対しては同一の符号を付しており、重複する説明は省略又は簡略化する。
【００１２】
（実施の形態）
まず、本発明の実施の形態に係る機器管理システム１の構成について、図１〜図３を用いて説明する。
【００１３】
［機器管理システムの基本構成］
本実施の形態に係る機器管理システム１は、複数の室内環境制御装置２と、制御端末３とを備えている。
【００１４】
複数の室内環境制御装置２は、室内空間６の空気環境を制御する。また、複数の室内環境制御装置２のうちの少なくとも１つは、室内空間６の空気を室外空間７に搬送するフード付換気装置２１（換気装置の一例）である。ここで室内空間６とは、リビングやダイニング、部屋（個室）など、壁、床、及び屋根に囲まれた空間を意味する。すなわち、室内空間６を屋内と言い換えることもできる。通気可能な窓や換気の為のダクトなどが備えられた壁に囲まれた空間も室内空間６に該当する。また室外空間７とは、室内空間６に対して床や壁、屋根の１つが欠けた空間を意味する。すなわち、室外空間７を屋外と言い換えることもできる。
【００１５】
制御端末３は、複数の室内環境制御装置２の各々と情報の送受信可能に接続されている。
【００１６】
以下、機器管理システム１の各構成要素について説明する。
【００１７】
［フード付換気装置］
フード付換気装置２１は、排気ファン２１０と、フード部２１１と、室外吐出口２１２と、室内吸込口２１３とを備えている。排気ファン２１０は、室内空間６の空気を吸込み、吸込んだ空気を室外空間７に排気する。フード部２１１は、排気ファン２１０を覆っている。室外吐出口２１２は、室内空間６と室外空間７とを連通している。室内吸込口２１３は、フード部２１１の下方の空気を吸込むために、フード部２１１の下方に向けて開口している。
【００１８】
排気ファン２１０は、例えば、モーターの回転軸に保持された羽根車から構成されている。モーターに通電することによってモーターの回転軸が回転する。そして、モーターの回転軸を介して羽根車が回転することによって、排気ファン２１０は室内吸込口２１３から室外吐出口２１２に流れる気流を生じさせる。
【００１９】
フード部２１１と室外吐出口２１２とは、例えば、排気管２１４によって接続されている。なお、フード部２１１は、直接、室外吐出口２１２と接続されていてもよい。
【００２０】
また、フード付換気装置２１は、調理時に発生する煙を室内吸込口２１３から吸込み、吸込んだ煙を室外吐出口２１２を介して室外空間７に排出するレンジフード装置であることが好ましい。
【００２１】
フード付換気装置２１がレンジフード装置である場合、台所の調理台１０に設けられたコンロ上部に室内吸込口２１３が配置される。このような構成により、フード付換気装置２１は、調理時に用いられる排気装置としても機能する。また、レンジフード装置としてのフード付換気装置２１は、図２に示すように、居住者が多くの時間を過ごすことが多いリビングダイニングの室内空間６に設置される事が多い。そのため、フード付換気装置２１は、居住者に対してより効率的に室内空間６の空気環境を整えることができる。また、マンション等の集合住宅において、レンジフード装置は、建設時に設計された位置に備え付けの設備として設置されることが多い。そのため、機器管理システム１は、レンジフード装置としてのフード付換気装置２１を管理しやすい。
【００２２】
また、フード付換気装置２１の排気ファン２１０は、２００ｍ３／ｈ以上の排気能力を有することが好ましい。このような構成により、フード付換気装置２１は、十分に大きな排気能力を持つため、短時間により多くの空気を排気することができる。
【００２３】
また、フード付換気装置２１は、排気ファン２１０による排気量を多段階に設定することによって、送風量を制御できることが好ましい。このような構成により、フード付換気装置２１は、室内空間６と室外空間７との間における換気量を適切に制御することができる。
【００２４】
また、フード付換気装置２１は、排気シャッター２１５を備えていてもよい。排気シャッター２１５は、室内空間６から室外空間７に空気を搬送するための搬送路を閉じることができる。フード付換気装置２１の運転が停止している場合に、排気シャッター２１５が閉じていることによって、室内空間６の気密性が向上する。
【００２５】
［空調装置］
複数の室内環境制御装置２のうちの少なくとも１つは、室内空間６の空気の加熱または冷却によって、室内空間６の温度制御を行う空調装置２２であってもよい。
【００２６】
空調装置２２は、例えば、室内空間６の空気の冷却を行う冷房専用装置でもよいし、室内空間６の空気の加熱を行う暖房専用装置でもよい。また、空調装置２２は、室内空間６の空気の加熱及び冷却を切り替えて運転できる冷暖房兼用装置でもよい。空調装置２２は、室内空間６の温度を目標とする温度にするために、空気の加熱または冷却を行う。
【００２７】
機器管理システム１が空調装置２２を備えることにより、室内空間６の空気を加熱または冷却することが可能となる。そのため、室内空間６の温度をより幅広い範囲で制御することが可能となる。
【００２８】
［温度センサ］
機器管理システム１は、さらに室内空間６の温度である室内温度を測定する室内温度センサ４を備えていてもよい。機器管理システム１は、さらに室外空間７の温度である室外温度（外気温）を測定する室外温度センサ５を備えていてもよい。
【００２９】
室内温度センサ４および室外温度センサ５は、それぞれ、電気的に温度情報を取得する。取得された温度情報は、制御端末３の条件取得部３１（詳細は後述）に送信される。室内温度センサ４および室外温度センサ５は、例えば、赤外放射温度計、サーモグラフィ、サーミスタ、白金測温抵抗又は熱電対を備え、温度測定を行う。
【００３０】
機器管理システム１が室内温度センサ４を備えることによって、室内空間６の目標とする室内目標温度と室内温度とを比較することができる。そのため、複数の室内環境制御装置２をより効率的に制御することができる。
【００３１】
機器管理システム１が室外温度センサ５を備えることによって、室内空間６の目標とする室内目標温度と室外温度とを比較することができる。そのため、複数の室内環境制御装置２をより効率的に制御することができる。
【００３２】
なお室内温度センサ４として、フード付換気装置２１や空調装置２２等の複数の室内環境制御装置２が備えるセンサを代用してもよい。制御端末３の条件取得部３１は、内部ネットワーク８を介して、室内温度センサ４および室外温度センサ５から温度情報を取得する。
【００３３】
［制御端末］
制御端末３は、人存在情報取得部５０と、条件取得部３１と、動作条件決定部３２と、制御部３３とを備えている。
【００３４】
人存在情報取得部５０は、人が室内空間６に存在するか否かを示す人存在情報を取得する。具体的には、人存在情報取得部５０は、焦電型赤外線センサ、サーモパイル、カメラ等のセンサを介して人存在情報を取得する。これらのセンサは、例えば複数の室内環境制御装置２に備えられていてもよいし、複数の室内環境制御装置２に備えられていなくてもよい。また、人存在情報取得部５０は、セキュリティスイッチ、在宅を示すスイッチ等を介して人存在情報を取得しても良い。具体的には、人存在情報取得部５０は、室内空間６への部外者の侵入を検知するセキュリティシステムから人存在情報を取得しても良い。この場合、人存在情報は、例えばセキュリティシステムにおいて居住者の外出（居住者の外出を示すモード＝警戒モード）を示す「セキュリティのオン状態」である。「セキュリティのオン状態」は、人が室内空間６に存在しないことを示す。すなわち、人存在情報は、居住者の外出を示す情報であってもよい。
【００３５】
条件取得部３１は、複数の室内環境制御装置２の動作条件に関連する動作情報を取得する。動作条件に関連する動作情報には、例えば、上述の人存在情報、室内目標温度、室内空間６の室内温度、室外空間７の室外温度、複数の室内環境制御装置２の個数や種類等が該当する。条件取得部３１は、これら動作条件に関連する動作情報の少なくとも１つを取得する。なお、室内目標温度とは、複数の室内環境制御装置２を動作させることによって室内空間６の温度を制御するときの目標の温度である。
【００３６】
条件取得部３１は、例えば、制御端末３に設けられた入力装置に入力された室内目標温度を取得する。また、例えば、条件取得部３１は、内部ネットワーク８を介して表示パネルと接続し、表示パネルに入力された室内目標温度を取得してもよい。また、例えば、条件取得部３１は、無線通信等を介してタブレット端末や携帯電話端末と接続し、タブレット端末や携帯電話端末に入力された室内目標温度を取得してもよい。ここで内部ネットワーク８とは、室内空間６に配置され、各通信端末を接続するネットワークを指す。内部ネットワーク８は、各通信端末を管理する。これに対して、外部ネットワークとは、室外空間７に位置する通信端末を接続するネットワークを指す。外部ネットワークには、具体的にはインターネットや当該インターネットを含む公衆回線等が該当する。
【００３７】
条件取得部３１は、例えば、内部ネットワーク８を介して室内温度センサ４および室外温度センサ５と接続し、室内温度センサ４および室外温度センサ５からの出力情報を取得する。このようにして、条件取得部３１は、室内空間６の室内温度および室外空間７の室外温度を取得する。
【００３８】
条件取得部３１が複数の室内環境制御装置２の個数や種類を取得する方法としては、室内目標温度を取得する方法と同様の方法が挙げられる。
【００３９】
動作条件決定部３２は、条件取得部３１が取得した動作情報に基づいて複数の室内環境制御装置２の各々の動作条件を決定する。動作条件を決定する方法の詳細については、後述する。
【００４０】
制御部３３は、動作条件決定部３２が決定した動作条件で複数の室内環境制御装置２を制御する。制御部３３は、内部ネットワーク８を介して複数の室内環境制御装置２と情報の送受信可能に接続されている。制御部３３は、内部ネットワーク８を介して複数の室内環境制御装置２と通信することで、複数の室内環境制御装置２を制御する。
【００４１】
制御端末３と複数の室内環境制御装置２とを接続する内部ネットワーク８は、例えば、Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（以下ＤＥＣＴと称する）方式を用いた無線通信を利用していても良い。電磁波ノイズからの影響を受けないＤＥＣＴを用いることにより、電子レンジや電磁調理器などの電磁波ノイズを発生させる機器の近くでも、無線による接続が可能となる。また、ＤＥＣＴを用いることにより、例えば一戸建て住宅等において長距離の内部ネットワーク８による無線接続が必要な環境でも、無線による安定した接続が可能となる。
【００４２】
［動作条件決定部における動作条件の決定］
動作条件決定部３２は、条件取得部３１が取得した情報に基づいて、複数の室内環境制御装置２の動作条件を決定する。動作条件決定部３２の動作条件決定における具体的な動作を図４〜図７Ｂを用いて説明する。
【００４３】
（人の存在の有無による動作条件の決定）
図４は、人が室内空間６に存在するか否かを示す人存在情報に基づいて、フード付換気装置２１を制御する動作についてのフローチャートである。
【００４４】
人存在情報取得部５０は、上述のセンサやセキュリティスイッチ等を介して人存在情報を取得する（ステップＳ１１）。
【００４５】
次に動作条件決定部３２は、人存在情報取得部５０が取得した人存在情報から、人が室内空間６に存在するか否かを判定する（ステップＳ１２）。
【００４６】
動作条件決定部３２が、人が室内空間６に存在しないと判定した場合は（ステップＳ１２のＮｏ）、ステップＳ１３に進む。動作条件決定部３２が、人が室内空間６に存在すると判定した場合は（ステップＳ１２のＹｅｓ）、ステップＳ１１に戻る。
【００４７】
ステップＳ１３において、条件取得部３１は、室外温度センサ５から室外温度を取得する。また、同じく、ステップＳ１３において、条件取得部３１は、室内温度センサ４から室内温度を取得する。また、同じく、ステップＳ１３において、条件取得部３１は、例えば制御端末３の入力装置に予め入力された室内目標温度を取得する。
【００４８】
動作条件決定部３２は、室内目標温度、室内温度、および室外温度に基づいて、フード付換気装置２１の動作条件として、フード付換気装置２１を動作すること、または、フード付換気装置２１を停止することを決定する（ステップＳ１４）。なお、動作条件の決定手順の詳細については後述する。
【００４９】
フード付換気装置２１を動作する場合は（ステップＳ１４のＹｅｓ）、動作条件決定部３２は、フード付換気装置２１の動作条件を制御部３３へ出力する（ステップＳ１５）。
【００５０】
フード付換気装置２１を停止する場合は（ステップＳ１４のＮｏ）、再度ステップ１３に戻る。そして、条件取得部３１は、再び室外温度、室内温度、および室内目標温度を取得する（ステップＳ１３）。
【００５１】
以上のように、動作条件決定部３２は、人存在情報取得部５０が取得した人存在情報が、人が室内空間６に存在しないことを示す場合に、条件取得部３１が取得した動作情報に基づいてフード付換気装置２１の動作条件を決定する。そして、制御部３３は、動作条件決定部３２が決定したフード付換気装置２１の動作条件で、フード付換気装置２１を制御する。
【００５２】
以下では、人が室内空間６に存在しない場合において、夏季と、冬季とを例としてフード付換気装置２１の動作条件の決定について説明する。
【００５３】
［夏季におけるステップＳ１４の処理］
日本では通常、夏季において気温は快適とされる温度よりも上がり、冬季において気温は快適とされる温度よりも下がる。そして外出する際にはセキュリティの観点から、住宅の窓をすべて閉じて鍵を掛ける。つまり人が室内空間６に存在しない場合には、室内空間６の通気性が低くなる。また、気温の上昇に応じて、室内温度も上昇する。室内温度が上昇すると、壁面や家具、調度品までもが熱を吸収する。すなわち、熱篭りが発生する。このため、例えば人が帰宅後に空調装置２２を動作させたとしても、室内温度の低下（冷却）に時間が掛かる。また、冷却に要するエネルギーも増大する。そこで、以下の処理により、空調装置２２に比較してエネルギー効率の高いフード付換気装置２１を利用することで、室内空間６における熱篭りを抑制する。すなわち、例えば帰宅後の室内空間６の快適化に要するエネルギーを抑制する。
【００５４】
制御部３３は、熱篭りを抑制するために、以下の処理を行う。図５Ａに示すように、時刻ｔ０までは、例えば窓からの直射日光により室内温度が室外温度より高く、室内温度が室内目標温度より低い。制御部３３は、時刻ｔ０までは、フード付換気装置２１を停止させる。これは、室内目標温度よりも室外温度が低いため、換気による室内温度の低下を防ぐためである。
【００５５】
時刻ｔ０からは、室内温度と室外温度との温度差ΔＴ１は所定の温度閾値（例えば５℃）以上高くなり、室内温度は室内目標温度を上回る。制御部３３は、時刻ｔ０からは、フード付換気装置２１を動作させる。これにより、室内空間６の熱気を室外空間７へ排気する。所定の温度閾値を５℃とした理由は、フード付換気装置２１の性能から判断したものである。これにより、エネルギー効率の高いフード付換気装置２１を利用して熱篭りを抑制できる。また、後の快適化のためのエネルギー消費を抑制できる。また、室内温度と室外温度との温度差ΔＴ１が小さい場合には、冷却効率が悪い。そのため、所定の温度閾値を例えば５℃と設定することで、エネルギー消費を抑制できる。当然ながら、室内空間６の広さや室内目標温度などの環境、或いはフード付換気装置２１の性能を勘案して、所定の温度閾値を変更することが可能である。
【００５６】
時刻ｔ１からは、室内温度が室外温度より高く、室内温度が室内目標温度を下回る。制御部３３は、時刻ｔ１からは、室内目標温度を達成したのでフード付換気装置２１を停止させる。
【００５７】
これにより、フード付換気装置２１の無駄な動作を抑制する。
【００５８】
このように、フード付換気装置２１を制御することにより、時刻ｔ０から時刻ｔ１までの室内空間６の室内温度の上昇を抑えることができる。
【００５９】
以上のように、動作条件決定部３２は、室内温度が室内目標温度よりも高く、かつ、室内温度が室外温度よりも高い場合に、フード付換気装置２１の動作条件として、フード付換気装置２１を動作することを決定する。すなわち、室内温度および室外温度に基づいてフード付換気装置２１を動作させて、人の不在時の室内空間６における熱篭りを取り除くことができる。そのため、例えば帰宅後の空調装置２２の使用を不要に、または低減できる。すなわち、空調装置２２のエネルギー消費を抑えることができる。
【００６０】
［冬季におけるステップＳ１４の処理］
冬季において、室内空間６の温度が下がるだけではなく、壁面や家具、調度品までもが冷える。このため、例えば人が帰宅後に空調装置２２を動作させたとしても、室内温度を高くするためには非常に時間が掛かる。また、加熱に要するエネルギーも増大する。そこで、以下の処理により、空調装置２２に比較してエネルギー効率の高いフード付換気装置２１を利用することで、室内空間６における過冷却を抑制する。すなわち、例えば帰宅後の室内空間６の快適化に要するエネルギーを抑制する。
【００６１】
制御部３３は、室内温度の低下を抑制するために、以下の処理を行う。図５Ｂに示すように、時刻ｔ０までは、室内温度が室外温度より低く、室外温度が室内目標温度より低い。制御部３３は、時刻ｔ０までは、フード付換気装置２１を停止させる。これは、室内目標温度よりも室外温度が低いため、無駄な換気によるエネルギー浪費を防ぐためである。
【００６２】
時刻ｔ０からは、室内温度が室外温度より低く、室外温度が室内目標温度を上回る。制御部３３は、時刻ｔ０からは、フード付換気装置２１を動作させる。これにより、室内空間６の寒い空気を室外空間７へ排出させ、室内空間６を負圧にする。そして、室外空間７の暖かい空気を室内空間６へ取り入れることで、室内温度を上昇させる。
【００６３】
時刻ｔ１からは、室外温度が室内目標温度を下回る。制御部３３は、時刻ｔ１からは、フード付換気装置２１を停止させる。これにより、室外空間７の冷たい空気を室内空間６に取り入れることを停止して、室内温度の下降を防止する。
【００６４】
このように、フード付換気装置２１を制御することにより、時刻ｔ０から時刻ｔ１までの室内空間６における室内温度を室外空間７の空気で上昇させる。また、室内温度を上昇させてからは、上昇させた室内温度の下降を低減させる。
【００６５】
以上のように、動作条件決定部３２は、室内温度が室内目標温度よりも低く、かつ、室外温度が室内温度よりも高い場合に、フード付換気装置２１の動作条件として、フード付換気装置２１を動作することを決定する。この結果、人の不在時における室内空間６における過冷却を抑制できる。そのため、帰宅後の空調装置２２の使用を不要に、または低減できる。すなわち、空調装置２２のエネルギー消費を抑えることができる。
【００６６】
（変形例）
以下の説明では、変形例の機器管理システムの特徴となる構成であって、上記実施の形態における機器管理システム１と異なる構成を説明する。なお、その他の構成については、機器管理システム１と同様である。
【００６７】
図６は、人が室内空間６に存在する場合についての空調装置２２の制御動作についてのフローチャートである。さらに詳しくは、図４に示した制御（フローチャート）において、例えば人が帰宅する時刻が判明した場合における、機器管理システム１の割り込み処理についてのフローチャートである。
【００６８】
条件取得部３１は、人が室内空間６に存在する予定時刻を示す予定時刻情報と、室内目標温度とを取得する（ステップＳ２１）。
【００６９】
ここで、予定時刻情報には、例えば帰宅時刻などが該当する。予定時刻情報を取得するために、条件取得部３１は、例えば居住者が携帯するＧＰＳ機能付き携帯電話から位置情報を取得する。そして、条件取得部３１は、取得した位置情報に基づいて居住者の移動速度を算出し、居住者が機器管理システム１の場所に到着する予定時刻を予想する。また、予定時刻情報を取得する方法として、居住者が利用するネットワーク上にて記録された予定表から帰宅時刻を取得する方法や、居住者が在宅時に上述の入力装置に入力した帰宅時刻を取得する方法が挙げられる。
【００７０】
条件取得部３１が予定時刻情報を取得できた場合には、動作条件決定部３２は、条件取得部３１が取得した室内目標温度に基づいて、空調装置２２が目標とする温度を決定する（ステップＳ２２）。つまり、空調装置２２が目標とする温度は、室内目標温度に設定される。
【００７１】
そして、動作条件決定部３２は、条件取得部３１が取得した予定時刻情報と現在時刻とに基づいて、室内目標温度を達成するまでの時間である目標達成時間を算出する（ステップＳ２３）。
【００７２】
ここで現在時刻とは、条件取得部３１が例えば予定時刻情報を取得した時点の時刻である。
【００７３】
そして、動作条件決定部３２は、目標達成時間が所定の時間閾値よりも小さいかどうかを判定する（ステップＳ２４）。なお、時間閾値は、予定時刻になる前に室内空間６を空調装置２２を用いて予冷または予暖する時間として設定される。例えば、時間閾値は、室内空間６の広さ、気密性等を考慮して最も早く室内目標温度に達成するまでの時間として算出される。算出された時間閾値は、使用者によって内部ネットワーク８や入力装置等を介して条件取得部３１に入力される。動作条件決定部３２は、条件取得部３１から時間閾値を取得する。そして、動作条件決定部３２は、帰宅時刻に室内温度が室内目標温度になるように、目標達成時間と時間閾値とを比較して空調装置２２の動作条件を決定する。
【００７４】
目標達成時間が所定の時間閾値よりも小さい場合には（ステップＳ２４のＹｅｓ）、動作条件決定部３２は、空調装置２２の動作条件として、空調装置２２を動作することを決定する。
【００７５】
動作条件決定部３２は、空調装置２２の動作条件を制御部３３へ出力する。制御部３３は、空調装置２２を動作させる（ステップＳ２５）。すなわち、目標温度を室内目標温度に設定された空調装置２２が動作する。つまり、居住者の帰宅時刻が近づいていると判断できる場合には、フード付換気装置２１のみでは達成できない室内目標温度を空調装置２２で達成するのである。
【００７６】
目標達成時間が所定の時間閾値よりも小さくない場合には（ステップＳ２４のＮｏ）、条件取得部３１は、予定時刻情報と現在時刻とに基づいて、室内目標温度を達成するまでの時間である目標達成時間の算出を繰り返す（ステップＳ２３）。つまり、目標達成時間が十分にある場合には、図４にて示した動作を継続することにより、フード付換気装置２１を利用したエネルギー効率の高い温度制御が可能となる。
【００７７】
図４及び図６のフローチャートに示した処理について、具体的な例を示す。
【００７８】
例えば図７Ａに、人が室内空間６に存在しない場合であって、時刻ｔ０における室内温度と室外温度との温度差ΔＴ２が所定の温度閾値以下である場合を示す。この場合、室内温度が室内目標温度よりも高く、さらに室内温度が室外温度よりも高いため、前述の処理に従ってフード付換気装置２１は動作している。
【００７９】
この状態で、時刻ｔ０において、条件取得部３１が、予定時刻情報を取得したものとする。すると、動作条件決定部３２は、条件取得部３１が取得した室内目標温度に基づいて、空調装置２２が目標とする温度を室内目標温度に設定する。また動作条件決定部３２は、条件取得部３１が取得した予定時刻情報と現在時刻とに基づいて、室内目標温度を達成するまでの時間である目標達成時間を算出する。ここでは、目標達成時間が時間閾値に対して十分大きいものとする。
【００８０】
図７Ａにおいて、時刻ｔ３を帰宅予定時刻（予定時刻情報が示す時刻）とすると、目標達成時間は時刻ｔ０から時刻ｔ３までの時間となる。
【００８１】
動作条件決定部３２は、予定時刻情報が示す時刻までに、室内温度を室内目標温度にするために、目標達成時間の間で以下の処理を行う。
【００８２】
動作条件決定部３２は、時刻ｔ０においては、室内温度と室外温度との温度差ΔＴ２が所定の温度閾値（例えば２℃）よりも大きいと判断する。この場合には、動作条件決定部３２は、室外空間７の空気による室内空間６の冷却効果が高いと判断できる。これに基づき、動作条件決定部３２は、時刻ｔ０から時刻ｔ１の間は、フード付換気装置２１のみを動作すること、および、空調装置２２を停止することを決定する。なお、動作条件決定部３２は、温度差ΔＴ２に基づいて、フード付換気装置２１の動作条件として、フード付換気装置２１の風量を決定してもよい。具体的には、動作条件決定部３２は、温度差ΔＴ２が大きい場合には、フード付換気装置２１の動作条件として、強い風量でフード付換気装置２１を動作することを決定してもよい。
【００８３】
この後、時刻ｔ１において、室内温度が室外温度と一致すると、室外空間７の空気によるこれ以上の冷却効果は見込めなくなる。このため、時刻ｔ１において、動作条件決定部３２は、空調装置２２の動作条件として、空調装置２２を動作することを決定する。この際、動作条件決定部３２は、フード付換気装置２１を停止することを決定しても良い。また、動作条件決定部３２は、常時換気を実現するために、弱い風量でフード付換気装置２１を動作することを決定しても良い。
【００８４】
なお、上記は目標達成時間が時間閾値に対して十分な余裕が有る場合の動作である。
【００８５】
これに対して、目標達成時間が時間閾値に対して同じかまたは小さい場合、フード付換気装置２１の処理だけでは時刻ｔ３において室内温度が室内目標温度を達成できない。このような場合には、動作条件決定部３２は、フード付換気装置２１を停止すること、および、空調装置２２を動作することを決定する。
【００８６】
また、例えば、図７Ｂに、人が室内空間６に存在しない場合であって、室外温度が室内温度及び室内目標温度よりも高い場合を示す。この場合、室外空間７の空気による室内温度の冷却効果が見込めないため、フード付換気装置２１は停止している。また、人が室内空間６に存在しないため、空調装置２２も停止している。
【００８７】
この状態で、時刻ｔ０において、条件取得部３１が、予定時刻情報を取得したものとする。すると、動作条件決定部３２は、条件取得部３１が取得した室内目標温度に基づいて、空調装置２２が目標とする温度を室内目標温度に設定する。また動作条件決定部３２は、条件取得部３１が取得した予定時刻情報と現在時刻とに基づいて、室内目標温度を達成するまでの時間である目標達成時間を算出する。
【００８８】
この場合では、目標達成時間が時間閾値に対して十分であったとしても、室外空間７の空気による室内目標温度の達成が見込めない。そのため、動作条件決定部３２は、フード付換気装置２１を停止すること、および、空調装置２２を動作することを決定する。ただし、目標達成時間が時間閾値に対して十分である場合には、動作条件決定部３２は、例えば空調装置２２がもっとも省エネルギー（高エネルギー効率）で動作する動作条件を決定すると良い。制御部３３は、このような動作条件を、空調装置２２に送信する。これにより、空調装置２２は省エネルギーで動作できる。
【００８９】
なお、目標達成時間が時間閾値に対して同じか小さい場合は、上記とは逆に、動作条件決定部３２は、フード付換気装置２１を動作すること、および、空調装置２２を効率優先（低エネルギー効率）で動作することを決定する。これにより、室内目標温度を実現できる。
【００９０】
（その他）
以上、本発明に係る機器管理システムについて、実施の形態及び変形例に基づいて説明したが、本発明は、上記実施の形態及び変形例に限定されるものではない。
【００９１】
また、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【００９２】
例えば、上述の温度制御では、室内温度が高い場合において、室内温度よりも低い温度の外気を利用して室内温度を下げる制御について説明を行った。当然ながら、室内温度が低い場合であって、室内温度よりも高い温度の外気を利用して室内温度を上げる制御も、上述の変形例に該当し、本明細書の開示範囲に含まれる。
【産業上の利用可能性】
【００９３】
本発明に係る機器管理システムは、室内空間の空気環境を整える機器管理システムとして有用である。
【符号の説明】
【００９４】
１  機器管理システム
２  複数の室内環境制御装置
２１  フード付換気装置（換気装置）
２２  空調装置
３  制御端末
３１  条件取得部
３２  動作条件決定部
３３  制御部
４  室内温度センサ
５  室外温度センサ
５０  人存在情報取得部
６  室内空間
７  室外空間
【図１】
2017179404.tif 000003
【図２】
2017179404.tif 000004
【図３】
2017179404.tif 000005
【図４】
2017179404.tif 000006
【図５Ａ】
2017179404.tif 000007
【図５Ｂ】
2017179404.tif 000008
【図６】
2017179404.tif 000009
【図７Ａ】
2017179404.tif 000010
【図７Ｂ】
2017179404.tif 000011
【国際調査報告】
2017179404.tif 000012
2017179404.tif 000013
2017179404.tif 000014
2017179404.tif 000015